(57)【要約】【課題】下部ユニット側を遊技島側に装着した状態で上部ユニット側の着脱を行うことができるなど、所定ユニットの交換時等の作業をより容易に行うことができる遊技機を提供する。【解決手段】遊技機筐体内に、図柄を変動表示可能な図柄変動表示装置１１と、この図柄変動表示装置１１による図柄組み合わせゲームの結果に基づいて遊技媒体を払い出す遊技媒体払い出し装置１５とを備え、遊技機筐体は、遊技媒体払い出し装置１５を収納した下部ユニット３と、図柄変動表示装置１１を収納した上部ユニット２とで構成され且つそれら下部ユニット３と上部ユニット２とは互いに着脱可能であり、その着脱の際に上部ユニット２を下部ユニット３に対して相対的に前後方向にスライドさせるスライド案内手段７１を備えたものである。【選択図】　図４
2004105229.tif 000002
【特許請求の範囲】
【請求項１】
遊技機筐体（１）内に、図柄を変動表示可能な図柄変動表示装置（１１）と、該図柄変動表示装置（１１）による図柄組み合わせゲームの結果に基づいて遊技媒体を払い出す遊技媒体払い出し装置（１５）とを備えた遊技機において、前記遊技機筐体（１）は、前記遊技媒体払い出し装置（１５）を収納した下部ユニット（３）と、前記図柄変動表示装置（１１）を収納した上部ユニット（２）とで構成され且つそれら下部ユニット（３）と上部ユニット（２）とは互いに着脱可能であり、その着脱の際に前記上部ユニット（２）を前記下部ユニット（３）に対して相対的に前後方向にスライドさせるスライド案内手段（７１）を備えたことを特徴とする遊技機。
【請求項２】
前記下部ユニット（３）側に、前記図柄変動表示装置（１１）に関する操作を行う操作手段（５４）（５５）（６１）（６２）（６３ａ）〜（６３ｃ）を設けたことを特徴とする請求項１に記載の遊技機。
【請求項３】
前記下部ユニット（３）は、前記遊技媒体払い出し装置（１５）を収納した下部第１ユニット（３ａ）と、該下部第１ユニット（３ａ）の上側に着脱可能に装着された下部第２ユニット（３ｂ）とで構成され、前記下部第２ユニット（３ｂ）に、前記操作手段（５４）（５５）（６１）（６２）（６３ａ）〜（６３ｃ）を設けたことを特徴とする請求項２に記載の遊技機。
【請求項４】
前記上部ユニット（２）及び前記下部ユニット（３）には、その前側を開閉可能に覆う開閉扉（７）（８）（１１３）（１１４）を設けたことを特徴とする請求項１〜３の何れかに記載の遊技機。
【請求項５】
前記図柄組み合わせゲームに関する抽選手段を備えた主制御基板（１２）と、前記抽選手段による抽選結果に基づいて所定の演出を行う演出制御手段を備えた副制御基板（１３）とを備え、前記下部ユニット（３）に、前記主制御基板（１２）、前記副制御基板（１３）等に電源を供給する電源手段（１６）を設けたことを特徴とする請求項１〜４の何れかに記載の遊技機。
【請求項６】
前記スライド案内手段（７１）は、前記上部ユニット（２）の下部側の一部と前記下部ユニット（３）の上部側の一部とで構成されていることを特徴とする請求項１〜５の何れかに記載の遊技機。
【請求項７】
前記上部ユニット（２）を前記下部ユニット（３）上に装着した状態でロックするロック手段（７３）を備えたことを特徴とする請求項１〜６の何れかに記載の遊技機。
【請求項８】
スライド案内手段（７１）によって前記上部ユニット（２）が前記下部ユニット（３）上の装着位置にきたときにその前後方向への移動を規制する位置決め手段（７２）と、該位置決め手段（７２）による規制を解除する位置決め解除手段（７４）とを備えたことを特徴とする請求項１〜７の何れかに記載の遊技機。
【発明の詳細な説明】
【０００１】
【発明の属する技術分野】
本発明は、スロットマシン、パチンコ機、アレンジボール機等、図柄を変動表示可能な図柄変動表示装置と、この図柄変動表示装置による図柄組み合わせゲームの結果に基づいて遊技媒体を払い出す遊技媒体払い出し装置とを備えた遊技機に関するものである。
【０００２】
【従来の技術】
スロットマシン、パチンコ機、アレンジボール機等の遊技機には、図柄を変動表示可能な図柄変動表示装置と、この図柄変動表示装置による図柄組み合わせゲームの結果に基づいてメダル、遊技球等の遊技媒体を払い出す遊技媒体払い出し装置とを備えたものがある。
【０００３】
例えばスロットマシンでは、図柄を複数種類に変動表示可能な複数、例えば３個の図柄表示リールよりなる図柄変動表示装置と、この図柄変動表示装置による変動表示を開始させるためのスタートレバーと、各図柄表示リールの変動表示を停止させる複数、例えば３個のストップボタンと、図柄表示リールが予め定められた図柄の組み合わせ（所定態様）で停止することを許可する停止許可手段と、この停止許可手段を作動させるか否かを抽選する抽選手段と、メダルを払い出すメダル払い出し装置とを備え、遊技者のスタートレバー操作に基づいて図柄表示リールの回転を開始させると共に抽選手段による抽選を行い、その抽選結果に基づいて停止許可手段が作動し且つ遊技者によるストップボタン操作により停止した図柄表示リールの停止図柄が所定態様となることを条件に、遊技者に有利な利益状態を発生させ、例えばメダル払い出し装置から所定数のメダルを払い出すようになっている。
【０００４】
また、下記特許文献１には、遊技機筐体を、図柄変動表示装置を設けた上部ユニットと、メダル払い出し装置を設けた下部ユニットの２つで構成し、遊技機の機種変更を行う際には、上部ユニットのみを交換することで、機種交換に必要なコストを削減し、また機種交換に要する作業を簡略化したスロットマシンが提案されている。
【特許文献１】
特開平０８−１６４２３６号公報
【０００５】
【発明が解決しようとする課題】
上記特許文献１に記載のスロットマシンでは、上部ユニットと下部ユニットとの着脱構造は、両者に夫々対応するボルトナット締結用の孔が設けられており、それらを上下に位置合わせしつつ上部ユニットを下部ユニットの上側に載置して、両者をボルトナットで締結するようになっているため、上部ユニットを下部ユニットに対して着脱する際には下部ユニットの上側に十分なスペースが必要となり、例えば下部ユニット側を遊技島側に装着した状態では作業を行うことが難しく、機種交換時等における作業性が悪いという欠点が考えられる。
【０００６】
本発明は、このような問題点に鑑み、下部ユニット側を遊技島側に装着した状態で上部ユニット側の着脱を行うことができるなど、所定ユニットの交換時等の作業をより容易に行うことができる遊技機を提供することを目的とする。
【０００７】
【課題を解決するための手段】
本発明は、遊技機筐体１内に、図柄を変動表示可能な図柄変動表示装置１１と、該図柄変動表示装置１１による図柄組み合わせゲームの結果に基づいて遊技媒体を払い出す遊技媒体払い出し装置１５とを備えた遊技機において、前記遊技機筐体１は、前記遊技媒体払い出し装置１５を収納した下部ユニット３と、前記図柄変動表示装置１１を収納した上部ユニット２とで構成され且つそれら下部ユニット３と上部ユニット２とは互いに着脱可能であり、その着脱の際に前記上部ユニット２を前記下部ユニット３に対して相対的に前後方向にスライドさせるスライド案内手段７１を備えたものである。
【０００８】
【発明の実施の形態】
以下、本発明の実施形態を図面に基づいて詳述する。図１〜図８は、本発明をスロットマシンとして具現化した第１の実施形態を例示している。図１及び図２において、１は遊技機筐体で、上部側の上部ユニット２と下部側の下部ユニット３とで構成されている。上部ユニット２と下部ユニット３とはスライド着脱機構４により上下に連結されており、上部ユニット２を下部ユニット３に対して相対的に前後方向にスライドさせることにより上部ユニット２を下部ユニット３に対して着脱可能となっている。
【０００９】
上部ユニット２及び下部ユニット３は、夫々前側が開放した矩形箱状の上部本体ケース５及び下部本体ケース６と、これら本体ケース５，６の前側を開閉可能に覆う上部前面パネル７及び下部前面パネル８（共に開閉扉の一例）とを備えている。
【００１０】
上部本体ケース５は、図３〜図５等に示すように、左右一対の左側枠板５ａ及び右側枠板５ｂと、これら側枠板５ａ，５ｂの上下両端を夫々左右方向に連結する上枠板５ｃ及び下枠板５ｄとを備え、その後側は裏板５ｅにより略閉鎖されている。同様に、下部本体ケース６は、左右一対の左側枠板６ａ及び右側枠板６ｂと、これら側枠板６ａ，６ｂの上下両端を夫々左右方向に連結する上枠板６ｃ及び下枠板６ｄとを備え、その後側は裏板６ｅにより略閉鎖されている。
【００１１】
前面パネル７，８は、夫々左右一端側に配置された上下一対のヒンジ９，１０を介して本体ケース５，６に対して開閉自在に装着されている。
【００１２】
なお、上部本体ケース５は、図２等に示すようにその前縁側が前下がりの傾斜状に形成され、ヒンジ９はその傾斜に沿って前下がり状に設けられており、上部前面パネル７はそのヒンジ９により上部本体ケース７の前側斜め上方に向けて開放するようになっている。一方、下部本体ケース６はその前縁側が略鉛直状に形成され、ヒンジ１０も略鉛直に設けられており、下部前面パネル８はそのヒンジ１０により下部本体ケース８の前側に向けて略水平に開放するようになっている。これにより、上部前面パネル７と下部前面パネル８とは、個別に開閉するに際し両者が互いに干渉することがない。
【００１３】
また、上部ユニット２側の下枠板５ｄと、下部ユニット３側の上枠板６ｃとは、図２等に示すように、その前縁側が側枠板５ａ，５ｂ，６ａ，６ｂの前縁側よりも後方に若干後退した位置となるようにその前後方向幅が側枠板５ａ，５ｂ，６ａ，６ｂよりも短く形成されており、下枠板５ｄ及び上枠板６ｃと上部前面パネル７及び下部前面パネル８との間には、上部ユニット２と下部ユニット３とを結合したときに上下に連通する連通空間Ａが形成されている。
【００１４】
上部ユニット２側には、図柄変動表示装置１１、主制御基板１２、副制御基板１３、上部中継基板１４等が収納され、下部ユニット３側には、メダル払い出し装置（遊技媒体払い出し装置）１５、電源ユニット（電源手段）１６、下部中継基板１７等が収納されている。
【００１５】
まず上部ユニット２側の構成から説明すると、図柄変動表示装置１１は、組み合わせ遊技用の図柄を変動表示するためのもので、図３等に示すように、３つの図柄変動表示手段１８ａ〜１８ｃを左右方向に備えている。各図柄変動表示手段１８ａ〜１８ｃは、例えば下枠板５ｄ上に夫々個別に着脱自在に装着されており、図４等に示すように、夫々図柄表示リール１９、リール回転駆動手段２０、照明手段２１、支持体２２等を備えている。
【００１６】
図柄表示リール１９（図柄変動表示手段１８ａ〜１８ｃに対応して１９ａ〜１９ｃの符号を用いて区別する）は、リール回転駆動手段２０の駆動軸に固定されるハブ部２４と、円筒部２５と、ハブ部２４と円筒部２５とを左右方向一端側、例えば左端側で半径方向に接続するホーク部２６とを一体に備えている。
【００１７】
円筒部２５は、透光性を有する合成樹脂材料等によりその全体が構成されており、その外周面に、例えば透光性のある不透明な図柄表示シートが貼着されている。この図柄表示シートには、「７」、「プラム」、「ＢＡＲ」、「チェリー」、「リプレイ図柄」等の複数種類の図柄が円周方向に所定間隔で複数個（例えば２１個）プリントされている。
【００１８】
リール回転駆動手段２０（図柄変動表示手段１８ａ〜１８ｃに対応して２０ａ〜２０ｃの符号を用いて区別する）は、例えばステッピングモータ等により構成されており、その駆動軸を左右方向に向けた状態で図柄表示リール１９内に配置され、支持体２２の内面側に着脱自在に固定されている。
【００１９】
照明手段２１は、図柄表示リール１９をその内側から照明するもので、後述する表示窓３６ａ〜３６ｃに表示される複数（例えば３個）の図柄に対応して配置された複数（例えば３個）のランプ２７と、これらランプ２７を支持するランプ支持体２８とを備え、例えばランプ支持体２８が支持体２２に着脱自在に固定されている。
【００２０】
支持体２２は、図柄表示リール１９、リール回転駆動手段２０、照明手段２１等を直接的又は間接的に支持するもので、例えば正面視略コの字型に一体形成されており、その底板部において下枠板５ｄ上に着脱自在に固定されている。
【００２１】
なお、図柄変動表示装置１１は、下枠板５ｄ上に限らず、上部ユニット２内の例えば裏板５ｅ、上枠板５ｃ、側枠板５ａ，５ｂ、上部前面パネル７等に装着してもよい。また、３つの図柄変動表示手段１８ａ〜１８ｃを１つのユニットとして構成し、そのユニットの状態で下枠板５ｄ等の所定部位に着脱自在に装着してもよい。
【００２２】
主制御基板１２は、主として遊技に関する制御を行うもので、図柄変動表示装置１１による図柄組み合わせゲームに関する抽選を行う抽選手段等を備え、基板ケース１２ａに収納された状態で上部ユニット２内の所定位置、例えば裏板５ｅの前面側に着脱可能に装着されている。
【００２３】
副制御基板１３は、主制御基板１２側の抽選手段による抽選結果等に基づいて音声、ランプ、画像等による所定の演出を行うもので、基板ケース１３ａに収納された状態で上部ユニット２内の所定位置、例えば右側枠板５ｂの内面側に着脱可能に装着されている。
【００２４】
上部中継基板１４は、上部ユニット２側の主制御基板１２、副制御基板１３等と下部ユニット３側の各部、例えばメダル払い出し装置１５、電源ユニット１６等とを電気的に接続するに際しそれを中継するもので、１又は複数のコネクタ１４ａを備えており、下部ユニット３上に上部ユニット２を装着した状態で、例えば下部ユニット３側の下部中継基板１７から延びるリード線のコネクタ１７ａを着脱自在に結合可能となっている。なお、上部中継基板１４は、基板ケース１４ｂに収納された状態で上部ユニット２内の所定位置、例えば左側枠板５ａの内面側に着脱可能に装着されている。
【００２５】
上部前面パネル７には、上部装飾パネル部３１と表示パネル部３２とが上下に設けられている。上部装飾パネル部３１は、例えばその前面側が略鉛直方向の平面状に形成されており、例えばその上部側に演出ランプ３３が、下部側に上部装飾領域３４が設けられている。上部装飾領域３４には、例えばその機種に固有のキャラクター等の装飾が施された装飾板３５がその裏側に設けられた爪等により着脱自在に装着されている。
【００２６】
表示パネル部３２は、上部装飾パネル部３１の下縁側から前下がりの傾斜状に形成されており、その前側には、図柄表示リール１９ａ〜１９ｃに対応する３つの表示窓３６ａ〜３６ｃが左右方向に配置されている。各表示窓３６ａ〜３６ｃは、夫々図柄表示リール１９ａ〜１９ｃの連続する複数、例えば３個の図柄を同時に表示できるように縦長矩形状に形成されている。なお、この表示窓３６ａ〜３６ｃは、例えば表示パネル部３２の合成樹脂製のパネル板３２ａに形成された無色透明部分により構成されている。
【００２７】
本実施形態では、例えば横方向に３本の入賞ラインＬ１〜Ｌ３が、斜め方向に２本の入賞ラインＬ４，Ｌ５が夫々設定されている。なお、パネル板３２ａには、各入賞ラインＬ１〜Ｌ５を示す入賞ライン表示線を、有効ライン数に応じて発光表示するように構成してもよい。
【００２８】
続いて下部ユニット３側の構成を説明すると、メダル払い出し装置１５は、遊技媒体の一例としてのメダルを貯留するメダルホッパー４１と、メダルを払い出す払い出し手段４２等を備えている。
【００２９】
払い出し手段４２は、メダルホッパー４１内のメダルを払い出すためのもので、メダルホッパー４１の下部側に設けられ、モータ等の駆動手段４３によりメダルホッパー４１内の回転体（図示省略）を駆動して、メダル払い出し口４４から前側へとメダルを払い出すようになっている。
【００３０】
電源ユニット１６は、主制御基板１２、副制御基板１３等を介して遊技機各部に電源を供給するためのものである。
【００３１】
下部中継基板１７は、下部ユニット３側のメダル払い出し装置１５や、下部前面パネル８側に設けられた後述する各種操作手段、表示手段等と上部ユニット２側の主制御基板１２、副制御基板１３等とを電気的に接続するに際しそれを中継するもので、図７等に示すようにリード線が引き出されており、その先端側には上部中継基板１４側のコネクタ１４ａに着脱自在に結合可能な１又は複数のコネクタ１７ａが設けられている。なお、下部中継基板１７は、基板ケース１７ｂに収納された状態で下部ユニット３内の所定位置、例えば左側枠板６ａの内面側に着脱可能に装着されている。
【００３２】
下部前面パネル８には、操作表示パネル部４５とメダル受け皿４６とが上下に配置されている。操作表示パネル部４５は、例えば前側に膨出状に設けられており、その上部側に操作表示部４７が、下部側に下部装飾パネル部４８が、夫々設けられている。
【００３３】
操作表示部４７の上面側には、例えばその左右方向中央部分にクレジット表示手段５１、獲得メダル表示手段５２、及び演出表示手段５３が、左端側に１ＢＥＴボタン５４及びマックスＢＥＴボタン５５が、右端側にメダル投入口（遊技媒体投入口）５６、及び返却ボタン５６ａが設けられている。
【００３４】
メダル投入口５６は、メダルを１枚ずつ投入可能に構成されており、投入されたメダルは、下部前面パネル８の裏側に配置されたメダル選別手段５７で正否の判別を受けた後、正規のメダルのみがメダル検出スイッチ５７ａで検出されてメダル案内通路５８を介してメダル払い出し装置１５のメダルホッパー４１に案内され、不正メダル等は返却通路５９を介してメダル受け皿４６側に返却されるようになっている。なお、このメダル投入口５６は、複数枚のメダルを一括投入可能な構成としてもよい。返却ボタン５６ａは、メダル投入口５６内に詰まったメダルを返却通路５９を介してメダル受け皿４６に返却させるためのものである。
【００３５】
１ＢＥＴボタン５４及びマックスＢＥＴボタン５５は、メダルがクレジットされている場合に、メダル投入口５６へのメダル投入に代えてクレジットからメダルをベットするためのもので、１回の操作につき夫々１枚及び３枚等のメダルをベットできるようになっている。
【００３６】
クレジット表示手段５１は、クレジットされているメダル枚数を表示するためのもので、例えば７セグメント式の表示手段により構成されている。また、獲得メダル表示手段５２は、そのゲームで獲得したメダル枚数を表示するためのもので、例えば７セグメント式の表示手段により構成されている。
【００３７】
演出表示手段５３は、画像表示による演出を行うためのもので、例えば液晶式の表示手段により構成されており、副制御基板１３側の演出制御手段の制御により各種動画、静止画等を表示可能となっている。
【００３８】
また、操作表示部４７の前面側には、例えばその左端側にクレジット／払い出し切換ボタン（Ｃ／Ｐボタン）６１及びスタートレバー６２が、略中央部分にストップボタン６３ａ〜６３ｃが設けられている。
【００３９】
Ｃ／Ｐボタン６１は、獲得したメダルをクレジットするか、或いは払い出すかの設定を択一的に切り換えるためのものである。スタートレバー６２は、図柄表示リール１９ａ〜１９ｃの変動（回転）を開始させるためのもので、例えば上下方向に揺動可能に構成されている。ストップボタン６３ａ〜６３ｃは、各図柄表示リール１９ａ〜１９ｃの変動（回転）を個別に停止させるためのもので、各図柄表示リール１９ａ〜１９ｃに対応してその下側に夫々配置されている。
【００４０】
なお、１ＢＥＴボタン５４、マックスＢＥＴボタン５５、Ｃ／Ｐボタン６１、スタートレバー６２、ストップボタン６３ａ〜６３ｃが操作手段の一例である。
【００４１】
下部装飾パネル部４８の前側には下部装飾領域６４が設けられている。この下部装飾領域６４には、例えばその機種に固有のキャラクター、機種名、入賞確率等の装飾が施された装飾板６５が着脱自在に装着されている。
【００４２】
メダル受け皿４６は、操作表示パネル部４５の下側に横長状に配置され、その左右方向略中央部分にメダル排出口６６が設けられている。メダル排出口６６は、メダル案内樋６６ａを介してメダル払い出し口４４と返却通路５９とに夫々連通しており、払い出し手段４２から払い出されたメダル、及び返却通路５９を介して返却されたメダルをメダル受け皿４６側に排出するようになっている。また、メダル受け皿４６の近傍には、１又は複数個のスピーカ６７が、下部前面パネル８の裏面側から装着されている。
【００４３】
スライド着脱機構４は、上部ユニット２を下部ユニット３に対して相対的に前後方向にスライドさせることにより上部ユニット２を下部ユニット３に対して着脱させるためのもので、図３〜図６等に示すように、上部ユニット２と下部ユニット３との間に設けられ且つ上部ユニット２を下部ユニット３に対して前後方向に案内するスライド案内手段７１と、このスライド案内手段７１により案内されて上部ユニット２が下部ユニット３上の装着位置にきたときにその前後方向への移動を規制する位置決め手段７２と、上部ユニット２を下部ユニット３上に装着した状態で解除可能に固定するロック手段７３と、位置決め手段７２による規制を解除するための位置決め解除手段７４とを備えている。
【００４４】
スライド案内手段７１は、図３及び図４に示すように、下部ユニット３の上枠板６ｃの上面側に前後方向に配設された支持案内レール７５と、上部ユニット２の下枠板５ｄの下面側に下部ユニット３側の支持案内レール７５に対応するように前後方向に配設された被支持案内レール７６とを備え、遊技機筐体１の左右方向に複数組、例えば左右両端側に夫々１組ずつ設けられている。即ち、スライド案内手段７１は、上部ユニット２の下部側の一部と下部ユニット３の上部側の一部とで構成されている。
【００４５】
支持案内レール７５は、前後方向に複数配列されたボール７７と、これらのボール７７を任意方向に回動可能な状態で前後方向一列状に保持するボール保持レール７８とで構成されており、例えば少なくともボール７７の上部側の一部が上枠板６ｃの表面よりも上側に突出した状態で上枠板６ｃ上に固定されている。
【００４６】
なお、支持案内レール７５は、下部ユニット３側の上枠板６ｃの後端部から前端部近傍まで設けられているが、例えば上枠板６ｃの後端側から前端側の略全体にわたって設けてもよく、また上枠板６ｃの後端側近傍から前端側近傍にわたって設けてもよい。また、上枠板６ｃの後端側から前端側にかけて間欠的に複数設けてもよい。
【００４７】
被支持案内レール７６は、その下部側に支持案内レール７５側のボール７７の上端側が嵌合可能な溝部７６ａを備え、上部ユニット２側の下枠板５ｄの後端部から前端部近傍にわたって配設されている。ボール７７の上端側が溝部７６ａに嵌合するように被支持案内レール７６を支持案内レール７５の上側に乗せると、ボール７７の回動により被支持案内レール７６は支持案内レール７５上を前後方向にスムーズに案内される。
【００４８】
なお、上部ユニット２側の裏板５ｅには、被支持案内レール７６の後端側に対応して、支持案内レール７５が前後方向に通過可能な切り欠き部７９が形成されている。
【００４９】
位置決め手段７２は、図３，図５等に示すように、下部ユニット３側の上枠板６ｃに設けられ且つ上下方向摺動自在な位置決め部材８１と、この位置決め部材８１を、その上端側が上枠板６ｃの上側に突出する「突出状態」と上枠板６ｃの上面側よりも下側に待避する「待避状態」との間で上下方向摺動自在に保持する位置決め保持手段８２と、位置決め部材８１を「突出状態」側に弾性付勢する付勢手段８３とを備え、複数、例えば下部ユニット３の左右両端側に夫々１つずつ設けられている。
【００５０】
位置決め部材８１は、例えば上下方向の丸棒状に形成されており、例えば上枠板６ｃを上下に貫通する貫通孔８４に上下方向摺動自在に嵌合している。位置決め部材８１には、その上端部前側に前下がり状の傾斜部８１ａが設けられており、また上下方向の所定位置には、突起部８１ｂが例えば前後２カ所に設けられている。
【００５１】
位置決め保持手段８２は、例えば上枠板６ｃの貫通孔８４の下側に設けられ、位置決め部材８１が嵌合可能な上下方向の筒状に形成されている。位置決め保持手段８２の下端側は略閉鎖されており、その内部には位置決め部材８１を上向きに弾性付勢するコイルバネ等の付勢手段８３が装着されている。
【００５２】
位置決め保持手段８２には、位置決め部材８１側の突起部８１ｂが嵌合する長孔状のガイド孔８５が上下方向に形成されており、位置決め部材８１を「突出状態」と「待避状態」との間で案内するようになっている。
【００５３】
また、上部ユニット２側の下枠板５ｄには、上部ユニット２が下部ユニット３上の装着位置にあるときに位置決め部材８１が下側から嵌合可能な位置決め孔８６が設けられている。なお、本実施形態では位置決め孔８６を下枠板５ｄの上側に貫通するように形成したが、位置決め孔８６は位置決め部材８１が下側から嵌合可能であればよく、下枠板５ｄの上側に貫通しないように形成してもよい。
【００５４】
更に、上部ユニット２の下面側後端部には、位置決め部材８１側の傾斜部８１ａに対応する前下がり状の傾斜案内面８７が形成されている。傾斜案内面８７は、下部ユニット３上で上部ユニット２を後向きにスライドさせる際に、上部ユニット２の後端側が「突出状態」の位置決め部材８１に前側から当接したとき、位置決め部材８１側の傾斜部８１ａの上側にスムーズに乗り上げて位置決め部材８１を押し下げるためのものである。
【００５５】
位置決め解除手段７４は下部ユニット３側に設けられており、図３，図４等に示すように、例えば左右の位置決め手段７２の略中間に配置され且つ遊技機筐体１の前側から解除操作可能な解除操作部９１と、位置決め手段７２の近傍に夫々配置され且つ解除操作部９１側の解除操作と連動して位置決め手段７２を解除側に案内する解除案内部９２とを備えている。
【００５６】
解除操作部９１は、左右方向に配置され且つその端部が解除案内部９２に連結された連結杆９３と、この連結杆９３を左右方向に摺動自在に保持する連結杆保持部９４とを備え、例えば下部ユニット３の上枠板６ｃの下面側に着脱自在に固定されている。
【００５７】
連結杆保持部９４は、例えば左右方向に長い扁平な筒状に形成されており、連結杆９３がその内部を左右に摺動自在に貫通している。また、連結杆９３にはその前側に突起状の操作部９５が設けられ、連結杆保持部９４の前側にはその操作部９５が左右方向摺動自在に嵌合する横長状のガイド孔９６が形成されている。
【００５８】
解除案内部９２は、位置決め手段７２の前後両側に配置される挟板部９７と、それら狭板部９７を解除操作部９１側で前後に連結する連結板部９８とを一体に備えた平面視コの字型に形成されており、連結杆９３の両端側に夫々連結板部９８が固着されている。
【００５９】
狭板部９７には、夫々長孔状のガイド孔９７ａが右下がり（又は右上がり）に形成されており、そのガイド孔９７ａに位置決め部材８１の突起部８１ｂが嵌合している。
【００６０】
位置決め部材８１が「突出状態」にあるとき、位置決め部材８１の突起部８１ｂはガイド孔９７ａの最上部に位置し、また連結杆９３の操作部９５はガイド孔９６の右端側に位置するようになっている。この状態から操作部９５をガイド孔９６に沿って左方向に操作すると、連結杆９３及び解除案内部９２が左方向に移動する。このとき、突起部８１ｂはガイド孔９７ａに沿って下向きに案内され、これにより位置決め部材８１は「突出状態」から「待避状態」に移動し、上部ユニット２の下部ユニット３に対する前後方向の位置決め状態は解除される。
【００６１】
なお、位置決め解除手段７４は、遊技機筐体１の前側から容易に解除操作ができるように、少なくともその解除操作部９１については下部ユニット３のできるだけ前側に設けることが望ましい。
【００６２】
ロック手段７３は下部ユニット３側に設けられており、図３〜図６等に示すように、下部ユニット３の後端側近傍に配置される１又は複数、例えば左右一対の後部ロック手段７３ａと、下部ユニット３の前端側近傍に配置される１又は複数、例えば左右一対の前部ロック手段７３ｂとで構成されている。
【００６３】
後部ロック手段７３ａは、下部ユニット３の上枠板６ｃの上面側に上向きに突出する例えば円柱状の固定連結部材１０１と、この固定連結部材１０１の上端側に上下方向の軸廻りに回動可能に装着された締結具１０２とを備えている。
【００６４】
固定連結部材１０１の少なくとも上端側近傍には例えばネジ溝が形成され、締結具１０２はその固定連結部材１０１の上端側に螺合されている。また、固定連結部材１０１の上枠板６ｃ上面側への突出長さは、少なくとも上部ユニット２の下枠板５ｄの板厚よりも大きく形成されている。また、締結具１０２は、固定連結部材１０１に対して、その下面側と上枠板６ｃ上面側との距離が上部ユニット２の下枠板５ｄの板厚と一致する位置を挟む所定の幅で締緩可能となっている。
【００６５】
前部ロック手段７３ｂは、例えば円柱状の固定連結部材１０３と、固定連結部材１０３の一端側にその固定連結部材１０３の長手方向の軸廻りに回動可能に装着された締結具１０４とを備えている。固定連結部材１０３の端部近傍には例えばネジ溝が形成され、締結具１０４はその固定連結部材１０３の一端側に螺合されている。
【００６６】
固定連結部材１０３は、締結具１０４の装着側とは反対側の端部において、左右方向の回転軸１０３ａ廻りに揺動可能な状態で下部ユニット３の上枠板６ｃの前縁部に装着されている。固定連結部材１０３は、鉛直上向きの「ロック可能位置」と、略鉛直下向きの「ロック解除位置」との間で上枠板６ｃの前側に揺動自在となっている。
【００６７】
また、固定連結部材１０３は、「ロック可能位置」にあるとき、その上枠板６ｃ上面側への突出長さが、少なくとも上部ユニット２の下枠板５ｄの板厚よりも大きくなるように形成されている。また、締結具１０４は、「ロック可能位置」にある固定連結部材１０３に対して、その下面側と上枠板６ｃ上面側との距離が上部ユニット２の下枠板５ｄの板厚と一致する位置を挟む所定の幅で締緩可能となっている。
【００６８】
上部ユニット２側の下枠板５ｄの後部側には、後部ロック手段７３ａに対応する切り欠き溝１０５が、下枠板５ｄの後縁側から前向きに所定長さで形成されている。この切り欠き溝１０５の左右方向幅は、固定連結部材１０１と略同じか若干大きく形成されている。更に、上部ユニット２側の裏板５ｅには、後部ロック手段７３ａが前後に通過可能な通過孔１０６が設けられている。
【００６９】
また、上部ユニット２側の下枠板５ｄの前部側には、前部ロック手段７３ｂに対応する切り欠き溝１０７が、下枠板５ｄの前縁側から後ろ向きに所定長さで形成されている。この切り欠き溝１０７の左右方向幅は、固定連結部材１０３と略同じか若干大きく形成されている。
【００７０】
以上のようなスロットマシンにおいて、下部ユニット３に対して上部ユニット２を着脱する際の一連の動作について図８を参照しつつ説明する。
【００７１】
上部ユニット２が取り外された状態では、下部ユニット３側では、位置決め手段７２の位置決め部材８１は付勢手段８３により上向きに付勢されて「突出状態」となり、前部ロック手段７３ｂは「ロック解除位置」、即ち上枠板６ｃよりも下側に収容された状態となっている。
【００７２】
下部ユニット３上に上部ユニット２を装着する際には、まず上部ユニット２を持ち上げて、その後端側を下部ユニット３の上側前部に乗せる（図８（Ａ））。このとき、上部ユニット２と下部ユニット３の幅方向を互いに合わせて、下部ユニット３側の支持案内レール７５上に上部ユニット２側の被支持案内レール７６が合致するようにする。
【００７３】
この状態から、上部ユニット２を後方に押すと、上部ユニット２はスライド案内手段７１に案内されて下部ユニット３上を後ろ向きにスムーズに摺動する。そして、上部ユニット２の後端側が下部ユニット３側の位置決め部材８１に当接すると、上部ユニット２側の傾斜案内面８７が位置決め部材８１側の傾斜部８１ａにスムーズに乗り上げ、位置決め部材８１は付勢手段８３の付勢力に抗して押し下げられて「待避状態」となる（図８（Ｂ））。
【００７４】
更に上部ユニット２を後方に押してゆくと、下部ユニット３側の後部ロック手段７３ａが上部ユニット３側の通過孔１０６を前向きに通過して切り欠き溝１０５に後側から嵌合し、更に上部ユニット２が所定の装着位置に到達したとき、位置決め部材８１と上部ユニット２側の位置決め孔８６とが一致して、位置決め部材８１が「突出状態」に移動して位置決め孔８６に嵌合する（図８（Ｃ））。これにより、上部ユニット２は下部ユニット３上の装着位置において前後左右方向に位置決めされる。
【００７５】
続いて、上部ユニット２側の上部前面パネル７と下部ユニット３側の下部前面パネル８とを共に開放する。そして、後部ロック手段７３ａ側の締結具１０２を締め付け、また前部ロック手段７３ｂを「ロック解除位置」から「ロック可能位置」まで前向きに揺動させて固定連結部材１０３を上部ユニット２側の切り欠き溝１０７に前側から嵌合させた後、締結具１０４を締め付ける（図８（Ｃ））。これにより、上部ユニット２は下部ユニット３に対して前後左右に続いて上下方向にもロックされ、完全に結合した状態となる。
【００７６】
更に、下部ユニット３側の下部中継基板１７側のリード線を連通空間Ａを介して上側に引き上げ、そのコネクタ１７ａを上部ユニット２側の上部中継基板１４側のコネクタ１４ａに結合する。これにより、上部ユニット２と下部ユニット３とが電気的に接続される。
【００７７】
その後、上部前面パネル７と下部前面パネル８とを共に閉じれば、下部ユニット３に対する上部ユニット２の装着作業が完了する（図８（Ｄ））。
【００７８】
逆に、下部ユニット３上から上部ユニット２を取り外す際には次のような手順で行えばよい。即ち、まず上部前面パネル７と下部前面パネル８とを開放して、下部中継基板１７側からの配線のコネクタ１７ａを上部中継基板１４側のコネクタ１４ａから取り外す。そして、後部ロック手段７３ａ側の締結具１０２を緩め、また締結具１０４を緩めて前部ロック手段７３ｂを「ロック可能位置」から「ロック解除位置」まで下向きに揺動させ、上下方向のロックを解除する。
【００７９】
そして、位置決め解除手段７４の操作部９５を左向きにスライドさせ、位置決め部材８１を「突出状態」から「待避状態」まで移動させて前後方向の規制を解除し、その状態を保持したままで上部ユニット２を前向きに引き出す。上部ユニット２を少し引き出せば、位置決め部材８１は上部ユニット２の下面側により「待避状態」で保持されるため、操作部９５から手を離して上部前面パネル７と下部前面パネル８とを共に閉じた後、上部ユニット２を更に前向きに引き出せばよい。
【００８０】
以上説明したように、本実施形態では、遊技機筐体１は、メダル払い出し装置１５を収納した下部ユニット３と、図柄変動表示装置１１を収納した上部ユニット２とで構成され且つそれら下部ユニット３と上部ユニット２とは互いに着脱可能であり、その着脱の際に上部ユニット２を下部ユニット３に対して相対的に前後方向にスライドさせるスライド案内手段７１を備えているため、上部ユニット２を下部ユニット３に対して着脱する際には上部ユニット２を前後にスライドさせればよく、例えば下部ユニット３側を遊技島側に装着した状態であっても上部ユニット２の着脱を行うことができるなど、例えば上部ユニット２の交換による機種変更時等の作業をより容易に行うことができる。
【００８１】
下部ユニット３側に、図柄変動表示装置１１の変動開始／変動停止や遊技媒体の投入等に関する操作を行う操作手段としての１ＢＥＴボタン５４、マックスＢＥＴボタン５５、Ｃ／Ｐボタン６１、スタートレバー６２、ストップボタン６３ａ〜６３ｃ、メダルを投入するためのメダル投入口５６、及びメダルの獲得／貯留状態等に関する表示を行う表示手段としてのクレジット表示手段５１、獲得メダル表示手段５２を設けているため、上部ユニット２のみの交換による機種変更を行う場合に、機種の違いに依存することが少ないそれら操作手段等をそのまま残すことができ、機種変更時の低コスト化が可能である。
【００８２】
上部ユニット２及び下部ユニット３には、その前側を開閉可能に覆う上部前面パネル７及び下部前面パネル８を設けているため、上部ユニット２と下部ユニット３とを個別に開閉することができる。
【００８３】
図柄組み合わせゲームに関する抽選手段を備えた主制御基板１２と、抽選手段による抽選結果に基づいて所定の演出を行う演出制御手段を備えた副制御基板１３とを備え、下部ユニット３に、主制御基板１２、副制御基板１３等に電源を供給する電源ユニット１６を設けているため、遊技内容とは無関係の電源ユニット１６を下部ユニット３側に設けることで機種交換変更時の更なる低コスト化が可能となる。また、主制御基板１２を上部ユニット２側に設けているため、上部ユニット２側の交換のみで遊技内容の異なる機種に容易に変更することができる。
【００８４】
表示による演出を行う表示演出手段５３を下部ユニット３に設け、これを制御する副制御基板１３を上部ユニット２側に設けているため、機種変更時の更なる低コスト化が可能となる。
【００８５】
上部ユニット２を下部ユニット３上に装着した状態でロックするロック手段７３を備えているため、上部ユニット２と下部ユニット３とを容易且つ確実に結合させ、また容易に分離することができる。
【００８６】
スライド案内手段７１により上部ユニット２が下部ユニット３上の装着位置にきたときにその前後方向への移動を規制する位置決め手段７２と、この位置決め手段７２による規制を解除する位置決め解除手段７４とを備えているため、上部ユニット２の所定の装着位置への位置決めを容易に行うことができると共にその解除も容易であり、上部ユニット２の下部ユニット３に対する着脱を更に容易に行うことができる。
【００８７】
図９〜図１１は本発明の第２の実施形態を例示し、下部ユニット３を、下部第１ユニット３ａと、この下部第１ユニット３ａの上側に着脱可能に装着される下部第２ユニット３ｂとで構成した例を示している。
【００８８】
下部第１ユニット３ａ及び下部第２ユニット３ｂは、図９，図１０等に示すように、夫々前側が開放した矩形箱状の下部第１本体ケース１１１及び下部第２本体ケース１１２と、これら本体ケース１１１，１１２の前側に夫々配置された矩形状の下部第１前面パネル１１３及び下部第２前面パネル１１４（共に開閉扉の一例）とを備えている。
【００８９】
下部第１本体ケース１１１は、左右一対の左側枠板１１１ａ及び右側枠板１１１ｂと、これら側枠板１１１ａ，１１１ｂの上下両端を夫々左右方向に連結する上枠板１１１ｃ及び下枠板１１１ｄとを備え、その後側は裏板１１１ｅにより略閉鎖されている。同様に、下部第２本体ケース１１２は、左右一対の左側枠板１１２ａ及び右側枠板１１２ｂと、これら側枠板１１２ａ，１１２ｂの上下両端を夫々左右方向に連結する上枠板１１２ｃ及び下枠板１１２ｄとを備え、その後側は裏板１１２ｅにより略閉鎖されている。
【００９０】
前面パネル１１３，１１４は、夫々左右一端側に配置された上下一対のヒンジを介して本体ケース１１１，１１２に対して開閉自在に装着されている。
【００９１】
また、下部第２ユニット３ｂ側の下枠板１１２ｄと、下部第１ユニット３ａ側の上枠板１１１ｃとは、図９に示すように、その前縁側が側枠板１１２ａ，１１２ｂ，１１１ａ，１１１ｂの前縁側よりも後方に若干後退した位置となるようにその前後方向幅が側枠板１１２ａ，１１２ｂ，１１１ａ，１１１ｂよりも短く形成されており、下枠板１１２ｄ及び上枠板１１１ｃと下部第２前面パネル１１４及び下部第１前面パネル１１３との間には、下部第２ユニット３ｂと下部第１ユニット３ａとを結合したときに上下に連通する連通空間Ｂが形成されている。
【００９２】
なお、上部ユニット２側の構成、及び上部ユニット２と下部ユニット３との間のスライド着脱機構４の構成については第１の実施形態と同様とし、その詳しい説明は省略する。
【００９３】
下部第２ユニット３ｂ側には、図１１等に示すように、下部ユニット３と上部ユニット２との間のスライド着脱機構４のうち、下部ユニット３側に装着される部分、例えば支持案内レール７５、位置決め手段７２、ロック手段７３、位置決め解除手段７４等が設けられている。即ち、上部ユニット２は、スライド着脱機構４により、下部第２ユニット３ｂに対して着脱自在に装着されるようになっている。
【００９４】
更に、下部第２ユニット３ｂ内には、図１１等に示すように、上部ユニット２側の上部中継基板１４、及び下部第１ユニット３ａ側の下部第１中継基板１１６と電気的に接続される下部第２中継基板１１５が設けられている。下部第２中継基板１１５からはリード線が引き出され、その先端側には上部中継基板１４側のコネクタ１４ａに着脱自在に結合可能な１又は複数のコネクタ１１５ａが設けられている。更に、下部第２中継基板１１５は１又は複数のコネクタ１１５ｃを備えており、下部第１ユニット３ａ上に下部第２ユニット３ｂを装着した状態で、下部第１ユニット３ａ側の下部第１中継基板１１６から延びるリード線のコネクタ１１６ａを着脱自在に結合可能となっている。
【００９５】
なお、下部第２中継基板１１５は、基板ケース１１５ｂに収納された状態で下部第２ユニット３ｂ内の所定位置、例えば左側枠板１１２ａの内面側に着脱可能に装着されている。
【００９６】
一方、下部第１ユニット３ａ側には、メダル払い出し装置（遊技媒体払い出し装置）１５、電源ユニット（電源手段）１６、下部第１中継基板１１６等が収納されている。
【００９７】
下部第１中継基板１１６は、下部第２ユニット３ｂ側の下部第２中継基板１１５と電気的に接続されるもので、リード線が引き出され、その先端側には下部第２中継基板１１５側のコネクタ１１５ｃに着脱自在に結合可能な１又は複数のコネクタ１１６ａが設けられている。なお、下部第１中継基板１１６は、基板ケース１１６ｂに収納された状態で下部第１ユニット３ａ内の所定位置、例えば左側枠板１１１ａの内面側に着脱可能に装着されている。
【００９８】
また、下部第２ユニット３ｂ側の下部第２前面パネル１１４の前側には、第１の実施形態における操作表示パネル部４５のうち、クレジット表示手段５１、獲得メダル表示手段５２、演出表示手段５３、１ＢＥＴボタン５４、マックスＢＥＴボタン５５、メダル投入口５６、返却ボタン５６ａ等が設けられた操作表示部４７が配置されており、下部第１ユニット３ａ側の下部第１前面パネル１１３の前側には、第１の実施形態における操作表示パネル部４５のうちの下部装飾パネル部４８、メダル受け皿４６等が設けられている。
【００９９】
メダル投入口５６から投入されたメダルをメダルホッパー４１側、メダル受け皿４６側に夫々案内するメダル案内通路５８、返却通路５９については、例えばその全てを下部第２前面パネル１１４又は下部第１前面パネル１１３の何れか一方、例えば下部第２前面パネル１１４側に設けてもよいし、それらメダル案内通路５８、返却通路５９を上流側と下流側とに分断してその上流側部分を下部第２前面パネル１１４側に、下流側部分を下部第１前面パネル１１３側に設け、下部第２前面パネル１１４と下部第１前面パネル１１３とを閉じたときにそれら上流側部分と下流側部分とが互いに連通するようにしてもよい。
【０１００】
なお、メダル選別手段５７、メダル検出スイッチ５７ａについてはメダル案内通路５８の配置に応じて適当な位置に設ければよい。また、メダル案内樋６６ａは下部第１前面パネル１１３側に設けられている。
【０１０１】
下部第２ユニット３ｂは、下部第１ユニット３ａの上側に、着脱機構１１７により着脱自在に装着されている。着脱機構１１７は、後部係合手段１１８と前部ロック手段１１９とを備えている。
【０１０２】
後部係合手段１１８は、下部第１ユニット３ａ側の上枠板１１１ｃ上の後部に１又は複数、例えば左右両側に１個ずつ設けられ、例えば前向きの鉤型に形成されている。下部第２ユニット３ｂ側の下枠板１１２ｄには、後部係合手段１１８に対応して係合孔１２０が形成されている。係合孔１２０は、後部係合手段１１８が上下に貫通可能な大きさに形成されており、その前縁側が後部係合手段１１８が後側から係合可能な係合受け部１２０ａとなっている。
【０１０３】
なお、後部係合手段１１８及び係合孔１２０は、後部係合手段１１８を係合孔１２０側の係合受け部１２０ａに係合させたとき、下部第２ユニット３ｂが下部第１ユニット３ａ上の所定の装着位置に位置決めされるように形成されている。
【０１０４】
前部ロック手段１１９は、下部ユニット３と上部ユニット２とをロックする前部ロック手段７３ｂと略同一に形成されており、例えば円柱状の固定連結部材１２１と、固定連結部材１２１の一端側にその固定連結部材１２１の長手方向の軸廻りに回動可能に装着された締結具１２２とを備えている。固定連結部材１２１の端部近傍には例えばネジ溝が形成され、締結具１２２はその固定連結部材１２１の一端側に螺合されている。
【０１０５】
固定連結部材１２１は、締結具１２２の装着側とは反対側の端部において、左右方向の回転軸１２１ａ廻りに揺動可能な状態で下部第１ユニット３ａの上枠板１１１ｃの前縁部に装着されている。固定連結部材１２１は、少なくとも鉛直上向きの「ロック可能位置」と、略鉛直下向きの「ロック解除位置」との間で上枠板１１１ｃの前側に揺動自在となっている。
【０１０６】
下部第２ユニット３ｂ側の下枠板１１２ｄの前部側には、前部ロック手段１１９に対応する切り欠き溝１２３が、下枠板１１２ｄの前縁側から後ろ向きに所定長さで形成されている。この切り欠き溝１２３の左右方向幅は、固定連結部材１２１と略同じか若干大きく形成されている。
【０１０７】
以上のようなスロットマシンにおいて、下部第２ユニット３ｂの下部第１ユニット３ａへの着脱は、例えば下部第２ユニット３ｂから上部ユニット２を取り外した状態で行う。上部ユニット２の着脱手順については第１の実施形態と同様のため説明は省略する。
【０１０８】
下部第２ユニット３ｂを下部第１ユニット３ａ上に装着する際には、図１１（Ａ）→（Ｂ）のように、下部第１ユニット３ａ側の後部係合手段１１８を下部第２ユニット３ｂ側の係合孔１２０に嵌合させつつ、下部第２ユニット３ｂを下部第１ユニット３ａ上に載置し、下部第２ユニット３ｂを後ろ向きに摺動させる。これにより、後部係合手段１１８が係合孔１２０の係合受け部１２０ａに係合し、下部第２ユニット３ｂは所定の装着位置に位置決めされる。
【０１０９】
続いて、下部第２ユニット３ｂ側の下部第２前面パネル１１４と下部第１ユニット３ａ側の下部第１前面パネル１１３とを共に開放する。そして、前部ロック手段１１９を「ロック解除位置」から「ロック可能位置」まで前向きに揺動させて固定連結部材１２１を下部第２ユニット３ｂ側の切り欠き溝１２３に前側から嵌合させた後、締結具１２２を締め付ける。これにより、下部第２ユニット３ｂは下部第１ユニット３ａに対して前後左右及び上下方向にロックされ、完全に結合した状態となる。
【０１１０】
更に、下部第１ユニット３ａ側の下部第１中継基板１１６側のリード線を連通空間Ｂを介して上側に引き上げ、そのコネクタ１１６ａを下部第２ユニット３ｂ側の下部第２中継基板１１５側のコネクタ１１５ａに結合する。これにより、下部第２ユニット３ｂと下部第１ユニット３ａとが電気的に接続される。
【０１１１】
その後、下部第２前面パネル１１４と下部第１前面パネル１１３とを共に閉じれば、下部第１ユニット３ａに対する下部第２ユニット３ｂの装着作業が完了する。
【０１１２】
下部第２ユニット３ｂを下部第１ユニット３ａから取り外す際には、上述した装着時と全く逆の手順で行えばよい。
【０１１３】
以上のように、本実施形態では、下部ユニット３を、メダル払い出し装置１５を収納した下部第１ユニット３ａと、この下部第１ユニット３ａの上側に着脱可能に装着された下部第２ユニット３ｂとで構成し、下部第２ユニット３ｂに、操作手段としての１ＢＥＴボタン５４、マックスＢＥＴボタン５５、Ｃ／Ｐボタン６１、スタートレバー６２、ストップボタン６３ａ〜６３ｃ、メダルを投入するためのメダル投入口５６、及びメダルの獲得／貯留状態等に関する表示を行う表示手段としてのクレジット表示手段５１、獲得メダル表示手段５２を設けているため、例えばそれら操作手段等が損傷した場合や、機種変更時にそれら操作手段等も同時に変更したい場合には、メダル払い出し装置１５等を備えた下部第１ユニット３ａを残して、下部第２ユニット３ｂのみ、或いは上部ユニット２及び下部第２ユニット３ｂを交換することができ、機種交換時の低コスト化を図りつつ種々の状況に柔軟に対応できる利点がある。
【０１１４】
以上、本発明の各実施形態について詳述したが、本発明はこれらの実施形態に限定されるものではなく、本発明の趣旨を逸脱しない範囲内で種々の変更が可能である。例えば、スライド着脱機構４を構成するスライド案内手段７１は、下部ユニット３に対して上部ユニット２を前後方向に容易にスライドさせることが可能な構成であればどのようなものでもよい。例えば、支持案内レール７５側にはボール７７ではなく車輪等を設けてもよい。また、ボール７７や車輪等のスライド補助手段を設けず、支持案内レール７５と被支持案内レール７６とを単に前後方向に摺動させるように構成してもよい。ボール７７や車輪等は下部ユニット３側の支持案内レール７５側ではなく上部ユニット２側の被支持案内レール７６側に設けてもよい。
【０１１５】
位置決め手段７２は、実施形態に示したものに限られず、例えば上部ユニット２又は下部ユニット３側に設けた車輪が下部ユニット３又は上部ユニット２側に設けた凹部に嵌合することにより前後方向に位置決めするもの等であってもよい。
【０１１６】
また、ロック手段７３についても、実施形態に示したものに限られるものではなく、下部ユニット３に対して上部ユニット２を確実に固定できるものであればどのような構成を採用してもよい。例えば、ソレノイド等の電気的可動手段によりロックするものであってもよい。
【０１１７】
位置決め手段７２、位置決め解除手段７４、ロック手段７３等は、その全て若しくは一部を上部ユニット２側に設けてもよい。ロック手段７３をロック状態で封印する封印手段を設けてもよい。
【０１１８】
上部ユニット２と下部ユニット３との間の電気的接続手段としては、例えば上部ユニット２側と下部ユニット３側とに互いに対応するコネクタを設け、上部ユニット２が下部ユニット３上をスライドして所定の装着位置にきたときに、それらコネクタ同士が自然に結合するようにしてもよい。これにより、手作業でコネクタを接続する必要がなく、ユニットの着脱作業がより容易となる。なお、下部第１ユニット３ａと下部第２ユニット３ｂとの間の電気的接続手段についても同様に構成してもよい。
【０１１９】
遊技機筐体１の前側を開閉する前面パネルを、上部ユニット２と下部ユニット３とに跨って設けてもよい。この場合、前面パネルは上部ユニット２側に装着してもよいし、下部ユニット３側に装着してもよい。
【０１２０】
第１の実施形態の場合、下部前面パネル部８を上下方向に複数に分割して設け、夫々を個別に開閉可能としてもよい。例えば、下部前面パネル部８を、操作表示部４７とそれよりも下側の部分とに２分割してもよいし、操作表示部４７と下部装飾パネル部４８とメダル受け皿４６とに対応する３つの部分に分割してもよい。
【０１２１】
第２の実施形態の場合、下部第２前面パネル１１４を上部前面パネル７側に一体に設けてもよい。
【０１２２】
操作手段としての１ＢＥＴボタン５４、マックスＢＥＴボタン５５、Ｃ／Ｐボタン６１、スタートレバー６２、ストップボタン６３ａ〜６３ｃ、メダルを投入するためのメダル投入口５６、及びメダルの獲得／貯留状態等に関する表示を行う表示手段としてのクレジット表示手段５１、獲得メダル表示手段５２、演出表示手段５３等は、上部ユニット２側に搭載してもよい。
【０１２３】
第１の実施形態の場合、操作手段等を配した操作表示部４７部分を下部前面パネル８に対して着脱可能としてもよい。
【０１２４】
演出表示手段５３は、回転ドラム式、ドット式、ベルト式、７セグメント式等の種々の表示手段により構成することができる。また演出表示手段５３は上部ユニット２側等、任意の位置に設けることができる。また、演出表示手段５３、１ＢＥＴボタン５４等は省略してもよい。
【０１２５】
第２の実施形態の場合、下部第１ユニット３ａと下部第２ユニット３ｂとの間の着脱機構１１７を、上部ユニット２と下部ユニット３との間のスライド着脱機構４と略同様の構成として、下部第２ユニット３ｂを下部第１ユニット３ａに対して前後方向に着脱可能な構成としてもよい。
【０１２６】
上部ユニット２を下部ユニット３上に装着する際に、上部ユニット２が所定のの装着位置にきたときにその後方への移動を規制する規制手段を設けてもよい。この規制手段は、例えば下部ユニット３の上面側後端部に上側に突出する突起物により構成し、上部ユニット２が所定の装着位置にきたときにその上部ユニット２側の所定位置がその突起状の規制手段に前側から当接するように構成することが考えられる。もちろん、それ以外の構成、例えば上部ユニット２側に、所定の装着位置にきたときに下部ユニット３側の所定位置に当接する突起物を設けた構成としてもよい。
【０１２７】
上部ユニット２と下部ユニット３との間の結合、下部第１ユニット３ａと下部第２ユニット３ｂとの間の結合が正常に完了したときにこれを報知する報知手段を設けてもよい。この報知手段は、例えば位置決め手段７２、ロック手段７３の何れか一方若しくは両方が正常に結合動作を完了したときにこれを機械的手段、電気的手段により報知するように構成すればよい。
【０１２８】
例えば、位置決め部材８１が位置決め孔８６に嵌合したことを検出する第１の検出手段と、ロック手段７３がロック状態となったことを検出する第２の検出手段とを設け、報知手段は、それら第１，第２の検出手段からの検出信号に基づいて結合が完了したことをランプ発光、音声出力、表示等により報知するように構成することが考えられる。
【０１２９】
また、逆に上部ユニット２と下部ユニット３との分離、下部第１ユニット３ａと下部第２ユニット３ｂとの分離が正常に完了したときにこれを報知する報知手段を設けてもよい。
【０１３０】
上部ユニット２と下部ユニット３との結合と分離とを共に報知する報知手段を設けてもよい。この場合、例えば結合状態でない場合は全て分離状態として、結合状態と分離状態との何れかを択一的に報知するようにしてもよい。
【０１３１】
更に、実施形態ではスロットマシンを例に挙げて説明したが、図柄を変動表示する図柄変動表示部等を備えた遊技機であれば、パチンコ機、アレンジボール機、雀球遊技機等であっても同様に実施可能である。また、遊技媒体はメダルに限るものではなく、遊技球等を用いてもよい。
【０１３２】
【発明の効果】
本発明では、遊技機筐体１内に、図柄を変動表示可能な図柄変動表示装置１１と、該図柄変動表示装置１１による図柄組み合わせゲームの結果に基づいて遊技媒体を払い出す遊技媒体払い出し装置１５とを備えた遊技機において、遊技機筐体１は、遊技媒体払い出し装置１５を収納した下部ユニット３と、図柄変動表示装置１１を収納した上部ユニット２とで構成され且つそれら下部ユニット３と上部ユニット２とは互いに着脱可能であり、その着脱の際に上部ユニット２を下部ユニット３に対して相対的に前後方向にスライドさせるスライド案内手段７１を備えているため、上部ユニット２を下部ユニット３に対して着脱する際には上部ユニット２を前後にスライドさせればよく、例えば下部ユニット３側を遊技島側に装着した状態であっても上部ユニット２の着脱を行うことができるなど、所定ユニットの交換時等の作業をより容易に行うことができる。
【図面の簡単な説明】
【図１】本発明の第１の実施形態を示すスロットマシンの正面図である。
【図２】本発明の第１の実施形態を示すスロットマシンの側面図である。
【図３】本発明の第１の実施形態を示す本体ケースの正面図である。
【図４】本発明の第１の実施形態を示す本体ケースの縦断面図である。
【図５】本発明の第１の実施形態を示す本体ケースの縦断面図である。
【図６】本発明の第１の実施形態を示す本体ケースの縦断面図である。
【図７】本発明の第１の実施形態を示す本体ケースの横断面図である。
【図８】本発明の第１の実施形態を示す上部ユニットを下部ユニット上に装着する際の手順の説明図である。
【図９】本発明の第２の実施形態を示すスロットマシンの側面図である。
【図１０】本発明の第２の実施形態を示す本体ケースの正面図である。
【図１１】本発明の第２の実施形態を示す下部第１ユニットと下部第２ユニットとの分解／結合状態の説明図である。
【符号の説明】
１　　遊技機筐体
２　　上部ユニット
３　　下部ユニット
３ａ　下部第１ユニット
３ｂ　下部第２ユニット
７　　上部前面パネル（開閉扉）
８　　下部前面パネル（開閉扉）
１１　　図柄変動表示装置
１２　　主制御基板
１３　　副制御基板
１５　　メダル払い出し装置（遊技媒体払い出し装置）
１６　　電源ユニット（電源手段）
５４　　１ＢＥＴボタン（操作手段）
５５　　マックスＢＥＴボタンボタン（操作手段）
６１　　Ｃ／Ｐボタン（操作手段）
６２　　スタートレバー（操作手段）
６３ａ〜６３ｃ　　ストップボタン（操作手段）
７１　　スライド案内手段
７２　　位置決め手段
７３　　ロック手段
７４　　位置決め解除手段
１１３　　下部第１前面パネル（開閉扉）
１１４　　下部第２前面パネル（開閉扉）
【図１】
2004105229.tif 000003
【図２】
2004105229.tif 000004
【図３】
2004105229.tif 000005
【図４】
2004105229.tif 000006
【図５】
2004105229.tif 000007
【図６】
2004105229.tif 000008
【図７】
2004105229.tif 000009
【図８】
2004105229.tif 000010
【図９】
2004105229.tif 000011
【図１０】
2004105229.tif 000012
【図１１】
2004105229.tif 000013